(57)【要約】【課題】読み取り精度の高いコード画像を印刷する。【解決手段】プリンタの制御部は、互いに同じ色を有する複数の第１領域４１と、第１領域４１の色とは異なる互いに同じ色を有する複数の第２領域４２とからなるコード画像４０を含む画像を記憶部が画像データとして記憶している場合に、用紙上において第１領域４１に対応する部分１４１全体が着弾したインクによって黒色を有し、用紙上において第２領域４２に対応する部分１４２全体が着弾したインクによって赤色を有するように、記録ヘッドを制御する。黒色と赤色とは用紙上における互いの光の反射率の差が所定値以上である。【選択図】図３
2020157708.tif 000002
【特許請求の範囲】
【請求項１】
記憶部と、
記録媒体に互いに異なる複数色のインクを吐出して画像を記録するインクジェット記録部と、
制御部と、を備えており、
前記制御部は、互いに同じ色を有する複数の第１領域と、前記第１領域の色とは異なる互いに同じ色を有する複数の第２領域とからなるコード画像を含む画像を前記記憶部が画像データとして記憶している場合に、記録媒体上において前記第１領域に対応する部分が着弾したインクによって第１色を有し、記録媒体上において前記第２領域のうち少なくとも前記第１領域に対応する部分と接する部分が着弾したインクによって第２色を有するように、前記インクジェット記録部を制御し、前記第１色と前記第２色とは記録媒体上における互いの光の反射率の差が所定値以上であることを特徴とする印刷装置。
【請求項２】
前記コード画像は、前記複数の第１領域が一方向に配列された一次元コード画像であり、
隣接する２つの前記第１領域が、前記第２領域を挟んでいることを特徴とする請求項１に記載の印刷装置。
【請求項３】
前記コード画像は、前記複数の第１領域のうち、最も外側に配置された第１領域の外側に前記第２領域が配置されてなることを特徴とする請求項２に記載の印刷装置。
【請求項４】
前記制御部は、記録媒体上において前記第２領域に対応する部分であって、前記第１領域に対応する部分と接する部分以外に、インクの着弾しない非着弾部分が形成されるように、前記インクジェット記録部を制御することを特徴とする請求項２又は３に記載の印刷装置。
【請求項５】
前記制御部は、前記一方向に直交する直交方向に関する第１位置では、記録媒体上に前記第１色を有する部分と前記第２色を有する部分とが前記一方向に沿ってそれぞれ複数形成され、前記第１位置と異なる第２位置では、記録媒体上に前記第１色を有する部分とインクが着弾していない非着弾部分とが前記一方向に沿って交互に形成され、前記第２色を有する部分が形成されないように、前記インクジェット記録部を制御することを特徴とする請求項２〜４のいずれか１項に記載の印刷装置。
【請求項６】
前記第１色は、黒、青、緑、紫色のいずれかの色であり、
前記第２色は、赤、黄、橙色のいずれかの色であることを特徴とする請求項１〜５のいずれか１項に記載の印刷装置。
【請求項７】
前記第２色を有する部分におけるインクの単位着弾量は、前記第１色を有する部分におけるインクの単位着弾量以上であることを特徴とする請求項１〜６のいずれか１項に記載の印刷装置。
【請求項８】
印刷装置を制御する電子機器に用いられるプログラムであって、
前記印刷装置は、
記憶部と、
記録媒体に互いに異なる複数色のインクを吐出して画像を記録するインクジェット記録部と、を備えており、
前記プログラムは、前記電子機器に、
前記記憶部に画像データを記憶させる記憶処理と、
互いに同じ色を有する複数の第１領域と、前記第１領域の色とは異なる互いに同じ色を有する複数の第２領域とからなるコード画像を含む画像が記録媒体上に形成されるか否かを、前記記憶部に記憶させる画像データに基づいて判定する判定処理と、
前記判定処理において前記コード画像を含む画像が記録媒体上に形成されると判定した場合に、記録媒体上において前記第１領域に対応する部分が着弾したインクによって第１色を有し、記録媒体上において前記第２領域のうち少なくとも前記第１領域に対応する部分と接する部分が着弾したインクによって第２色を有するように、前記インクジェット記録部を制御する制御処理とを実行させ、
前記第１色と前記第２色とは記録媒体上における互いの光の反射率の差が所定値以上であることを特徴とするプログラム。
【発明の詳細な説明】
【技術分野】
【０００１】
本発明は、コード画像を印刷する印刷装置及びプログラムに関する。
【背景技術】
【０００２】
一次元コード（バーコード）の規格には、バー及び隣り合う２つのバーの間のスペースの幅の比率、及び、バーコードリーダーなどの光スキャナから照射された光に対するバーとスペースとの反射率の差が規定されている。インクを吐出することによって紙などの記録媒体にコード画像が印刷される場合、バーを形成するインクが滲んでスペースであるべき部分にはみ出すことがある。このため、印刷されたバーコード画像を読み取る際に、バーコード画像のバー及びスペースの幅の比率が基準範囲から外れることがある。このような場合には、読み取りエラーとなる。
【０００３】
特許文献１には、バーコードの印刷時に、コード画像を構成する黒画像領域の外周を形成するドットの一部あるいは全部を、外周以外のドットよりも小さくする技術が記載されている。これにより、黒画像領域のドットが白領域にはみ出す量を低減することが可能となる。
【先行技術文献】
【特許文献】
【０００４】
【特許文献１】特開２００３−２３７０５９号公報
【発明の概要】
【発明が解決しようとする課題】
【０００５】
しかしながら、上記特許文献１に記載の技術においては、黒画像領域の周囲のドットを小さくしてインク量を減らしているだけであるため、例えば、記録媒体の表面が特定方向にインクが滲みやすい場合など、当該ドットを形成する黒インクが白領域に滲み出る。このため、コード画像の読み取り精度が低下するという問題が生じる。
【０００６】
本発明の目的は、読み取り精度の高いコード画像を印刷することができる印刷装置及びプログラムを提供することである。
【課題を解決するための手段】
【０００７】
本発明の印刷装置は、記憶部と、記録媒体に互いに異なる複数色のインクを吐出して画像を記録するインクジェット記録部と、制御部と、を備えている。そして、前記制御部は、互いに同じ色を有する複数の第１領域と、前記第１領域の色とは異なる互いに同じ色を有する複数の第２領域とからなるコード画像を含む画像を前記記憶部が画像データとして記憶している場合に、記録媒体上において前記第１領域に対応する部分が着弾したインクによって第１色を有し、記録媒体上において前記第２領域のうち少なくとも前記第１領域に対応する部分と接する部分が着弾したインクによって第２色を有するように、前記インクジェット記録部を制御し、前記第１色と前記第２色とは記録媒体上における互いの光の反射率の差が所定値以上である。なお、ここでいう所定値とは、記録媒体上の第１色と第２色との境界を光スキャナによって判別できる下限値をいう。
【０００８】
本発明のプログラムは、印刷装置を制御する電子機器に用いられるプログラムであって、前記印刷装置は、記憶部と、記録媒体に互いに異なる複数色のインクを吐出して画像を記録するインクジェット記録部と、を備えている。そして、前記プログラムは、前記電子機器に、前記記憶部に画像データを記憶させる記憶処理と、互いに同じ色を有する複数の第１領域と、前記第１領域の色とは異なる互いに同じ色を有する複数の第２領域とからなるコード画像を含む画像が記録媒体上に形成されるか否かを、前記記憶部に記憶させる画像データに基づいて判定する判定処理と、前記判定処理において前記コード画像を含む画像が記録媒体上に形成されると判定した場合に、記録媒体上において前記第１領域に対応する部分が着弾したインクによって第１色を有し、記録媒体上において前記第２領域のうち少なくとも前記第１領域に対応する部分と接する部分が着弾したインクによって第２色を有するように、前記インクジェット記録部を制御する制御処理とを実行させ、前記第１色と前記第２色とは記録媒体上における互いの光の反射率の差が所定値以上である。
【発明の効果】
【０００９】
本発明の印刷装置及びプログラムによると、記録媒体上において第２領域のうち少なくとも第１領域に対応する部分と接する部分に着弾したインク（単色又は複合色として第２色を有する）によって、記録媒体上において第１領域に着弾したインク（単色又は複合色として第１色を有する）が第２領域内に滲み出すのを堰き止めることが可能となる。このため、読み取り精度の高いコード画像を印刷することができる。
【図面の簡単な説明】
【００１０】
【図１】本発明の一実施形態にかかるプリンタの内部構造を示す概略側面図である。
【図２】図１に示すプリンタ及びそれに接続されるＰＣの電気的構成を概略的に示すブロック図である。
【図３】（ａ）はコード画像の構成を説明するための図であり、（ｂ）は本実施形態で形成されるコード画像を示す図である。
【図４】変形例で形成されるコード画像を示す図である。
【発明を実施するための形態】
【００１１】
以下、本発明の一実施形態に係る印刷装置としてのプリンタ１０について、図面を参照しつつ以下に説明する。以下の説明においては、プリンタ１０が使用可能に設置された状態（図１の状態）を基準として上下方向が定義され、筐体１１の開口１３が設けられている側を手前側（正面：前方）として前後方向が定義され、プリンタ１０を手前側（正面）から見て左右方向が定義される。
【００１２】
プリンタ１０は、図１に示すように、給紙トレイ４、排紙トレイ５、記録部６、搬送部７、及び制御部８などを有する。給紙トレイ４、記録部６、搬送部７、及び制御部８は、プリンタ１０の筐体１１内に収容されている。筐体１１内において、記録部６の下方に給紙トレイ４が配置されている。
【００１３】
給紙トレイ４は、複数の用紙９を積層状態で支持して収容することが可能なものである。給紙トレイ４は、筐体１１に対して前後方向に挿抜可能となっている。給紙トレイ４は、用紙９を支持する支持面４ａを有している。給紙トレイ４の後端部には、傾斜板４ｂが設けられている。
【００１４】
排紙トレイ５は、記録部６の後述する記録ヘッド６３により画像が記録された用紙９を収容する。排紙トレイ５は、給紙トレイ４の前方側の上方に配置されており、給紙トレイ４とともに移動するようになっている。
【００１５】
記録部（インクジェット記録部）６は、キャリッジ６１と、記録ヘッド６３とを有している。キャリッジ６１は、２つのガイドレール６７ａ、６７ｂによって支持されている。２つのガイドレール６７ａ、６７ｂは、前後方向に互いに離隔して配置され、各々が左右方向に延設されている。キャリッジ６１は、２つのガイドレール６７ａ、６７ｂを跨ぐようにして配置されている。キャリッジ６１は、キャリッジ駆動モータ３１（図２参照）により、２つのガイドレール６７ａ、６７ｂに沿って主走査方向である左右方向に往復移動される。記録ヘッド６３は、キャリッジ６１に搭載されており、キャリッジ６１とともに主走査方向に往復移動する。記録ヘッド６３は、インクカートリッジ（不図示）から供給されたインクを下面のノズル面６９に設けられたノズル（不図示）から吐出することで、用紙９に画像を記録する。本実施形態における記録ヘッド６３は、インクジェット式の記録ヘッドである。また、記録ヘッド６３からは、ブラック、マゼンタ、イエロー、シアンのインクが吐出可能に構成されている。つまり、本実施形態におけるプリンタ１は、カラー画像が印刷可能なインクジェットプリンタである。
【００１６】
搬送部７は、用紙９をプリンタ１０の内部において搬送するものであり、給紙ローラ７０、搬送ローラ対７１、排出ローラ対７２、プラテン７５、及びガイド部材１７を含む。給紙ローラ７０は、給紙トレイ４の上方に配置されている。給紙ローラ７０は、給紙モータ３３（図２参照）からの駆動力が付与されて回転し、給紙トレイ４内の用紙９を後方に向かって送り出す。搬送ローラ対７１及び排出ローラ対７２は前後方向に記録部６を挟んで配置されており、搬送ローラ対７１は記録部６よりも後方に、排出ローラ対７２は記録部６よりも前方に配置されている。搬送ローラ対７１は、記録ヘッド６３のノズル面６９と対向する領域に用紙９を送る。排出ローラ対７２は、搬送ローラ対７１によって送られた用紙９を受け取り、排紙トレイ５に用紙９を排出する。搬送ローラ対７１及び排出ローラ対７２は、搬送モータ３５ａを含む駆動機構３５（図２参照）によって駆動される。
【００１７】
プラテン７５は、記録部６の下方において記録部６のノズル面６９と対向するように配置されている。ガイド部材１７は、給紙トレイ４から送り出された用紙９を、記録ヘッド６３のノズル面６９と対向する領域に送り込む搬送路１４を画定している。ガイド部材１７は、給紙トレイ４の後方側の端部近傍から搬送ローラ対７１の近傍まで延びている。
【００１８】
給紙ローラ７０によって給紙トレイ４から後方に送り出された用紙９は、給紙トレイ４の後端部に設けられた傾斜板４ｂにより斜め上方に向かい、ガイド部材１７で画定された搬送路１４を通って、搬送ローラ対７１に挟持される位置に到達する。搬送ローラ対７１に挟持された用紙９は、搬送ローラ対７１によって記録ヘッド６３のノズル面６９と対向する領域に搬送される。搬送ローラ対７１によって搬送された用紙９は、プラテン７５によって支持された状態で、主走査方向に移動する記録ヘッド６３のノズル（不図示）からインクが吐出されて画像が記録される。記録済みの用紙９は、排出ローラ対７２によって前方に搬送されて、排紙トレイ５に排出される。
【００１９】
制御部８は、プリンタ１０全体の制御を司るものであり、図２に示すようにキャリッジ駆動モータ３１、記録ヘッド６３、給紙モータ３３及び駆動機構３５等が電気的に接続されている。さらに、制御部８には、ＵＳＢインターフェース２５が電気的に接続されている。ＵＳＢインターフェース２５は、ＵＳＢ規格のインターフェースであり、リムーバブルメモリとしてのＵＳＢメモリを接続することができる。加えて、プリンタ１０の制御部８には、外部装置であるＰＣ（Personal Computer）２０が接続される。なお、プリンタ１０とＰＣ２０とは、ＬＡＮ（Local Area Network）を介して接続されていてもよいし、ＬＡＮを介さずに接続されていてもよい。また、プリンタ１０とＰＣ２０との間のデータの送受信は、無線方式の通信により行われてもよいし、有線方式の通信により行われてもよい。
【００２０】
制御部８は、ＣＰＵ（Central Processing Unit）８１、ＲＯＭ（Read Only Memory）８２、ＲＡＭ（Random Access Memory）８３、及びＡＳＩＣ（Application Specific Integrated Circuit）８５等を含む。ＲＯＭ８２には、ＣＰＵ８１が実行するプログラム、各種固定データ等が記憶されている。ＲＡＭ（記憶部）８３には、プログラム実行時に必要なデータ（画像データ等）が一時的に記憶される。つまり、外部機器から送信された画像データをＡＳＩＣ８５は、キャリッジ制御回路８５ａ、ヘッド制御回路８５ｂ及び搬送制御回路８５ｃを含む。
【００２１】
制御部８は、ＣＰＵ８１とＡＳＩＣ８５とが協動して、ＵＳＢインターフェース２５に接続されたＵＳＢメモリやＰＣ２０から入力された画像データに係る画像を用紙９に記録する画像記録動作等を行う。なお、画像記録動作においては、キャリッジ制御回路８５ａが、キャリッジ６１が主走査方向に往復移動するようにキャリッジ駆動モータ３１を制御する。また、ヘッド制御回路８５ｂは、ＲＡＭ８３が記憶する画像データに基づいて、記録ヘッド６３のノズル（不図示）からインクが吐出されるよう制御する。搬送制御回路８５ｃは、給紙トレイ４に収容されている用紙９が記録ヘッド６３と対向する位置を通過して排紙トレイ５に排出されるように給紙モータ３３及び駆動機構３５を制御する。
【００２２】
なお、図２では、ＣＰＵ８１及びＡＳＩＣ８５を１つずつ図示しているが、制御部８は、ＣＰＵ８１を１つだけ含み、この１つのＣＰＵ８１が必要な処理を一括して行うものであってもよいし、ＣＰＵ８１を複数含み、これら複数のＣＰＵ８１が必要な処理を分担して行うものであってもよい。また、制御部８は、ＡＳＩＣ８５を１つだけ含み、この１つのＡＳＩＣ８５が必要な処理を一括して行うものであってもよいし、ＡＳＩＣ８５を複数含み、これら複数のＡＳＩＣ８５が必要な処理を分担して行うものであってもよい。
【００２３】
ＰＣ２０は、ＣＰＵ２１、ＲＯＭ２２、ＲＡＭ２３、及びＨＤＤ（Hard Disk Drive）２４を有している。ＨＤＤ２４には、ＯＳ（Operation System）２４ａ及びプリンタドライバ２４ｂがインストールされている。ＣＰＵ２１はプリンタドライバ２４ｂを実行することにより、プリンタ１０の動作を制御することが可能となる。
【００２４】
ここで、本実施形態において対象とする画像データ及び入力された画像データに基づいた制御について説明する。本実施形態においては、図３（ａ）に示すように、互いに同じ色を有する複数の第１領域４１と、第１領域４１の色とは異なる互いに同じ色を有する複数の第２領域４２とからなるコード画像４０を含む画像にかかる画像データを対象とする。本実施形態におけるコード画像４０の各第１領域４１は黒色の領域であり、各第２領域４２は白色（空白）の領域である。なお、第１領域４１及び第２領域４２は、互いの色が異なれば、黒色及び白色以外の色であってもよい。各第１領域４１は、図３（ａ）中上下方向に長尺なバー状（長方形平面形状）の領域である。複数の第１領域４１は、互いに離隔して一方向（第１領域４１の長手方向に直交する方向）に配列されている。すなわち、コード画像４０は一次元コード画像である。以降の説明において、複数の第１領域４１の配列方向（図３（ａ）の左右方向）を単に「配列方向」と称する。
【００２５】
各第２領域４２は、図３（ａ）中二点鎖線でそれぞれ囲まれた領域であって、第１領域４１の長手方向において、第１領域４１と同じ長さを有している。また、複数の第２領域４２は、配列方向において、隣接する第１領域４１間、及び、最も外側に配置された第１領域４１の外側に配置されている。これら第１領域４１及び第２領域４２は、規格により定められた複数種類の幅（配列方向の長さ）のいずれかを有している。コード画像４０における各第１領域４１及び各第２領域４２の幅は、当該コード画像４０が表示するべき情報に応じて異なる。
【００２６】
制御部８は、コード画像４０を含む画像データがＵＳＢインターフェース２５に接続されたＵＳＢメモリやＰＣ２０から入力されることで、ＲＡＭ８３に一時的に記憶する（記憶処理）。
【００２７】
そして、制御部８は、画像データを解析すること等により、ＲＡＭ８３に記憶されている画像データに係る画像にコード画像４０が含まれているか否かを判定する（判定処理）。画像データにコード画像４０が含まれているか否かの判定は、ユーザによりコード画像４０が含まれている画像である旨の入力がなされたか否かにより判定してもよい。また、その画像にコード画像４０が含まれている旨の情報が画像データに含まれていてもよい。ここでの判定処理は、画像データに係る画像にコード画像４０が含まれているか否かを判定することで、当該コード画像４０が用紙９上に形成されるか否かを判定することと同意である。
【００２８】
制御部８は、判定処理においてＲＡＭ８３に記憶されている画像データに係る画像にコード画像４０が含まれている場合には、図３（ｂ）に示すように、用紙９上において、コード画像４０の各第１領域４１に対応する部分１４１の全体が黒色となるように、各第２領域４２に対応する部分１４２の全体が赤色となるように、記録ヘッド６３のインク吐出を制御する（制御処理）。つまり、制御部８は、用紙９上において、第１領域４１に対応する部分１４１全体に着弾したインクによって黒色を有し、第２領域４２に対応する部分１４２全体に着弾したインクによって赤色を有するように、記録ヘッド６３を制御する。こうして、図３（ｂ）に示すコード画像１４０が用紙９上に形成される。なお、各第２領域４２に対応する部分１４２には、第１領域４１に対応する部分１４１に接する部分が含まれている。部分１４２全体が赤色を有しているため、当該接する部分も赤色を有している。
【００２９】
本実施形態においては、用紙９上において、第１領域４１に対応する部分１４１にはブラックインクが吐出されて黒色が形成され、第２領域４２に対応する部分１４２はマゼンタインクとイエローインクが吐出され赤色（複合色）が形成される。また、本実施形態においては、第１領域４１に対応する部分１４１に着弾したインクによって各部分１４１全体が黒色であり、第２領域４２に対応する部分１４２に着弾したインクによって各部分１４２全体が赤色であるが、第１領域４１に対応する部分１４１に着弾したインクによる第１色と第２領域４２に対応する部分１４２に着弾したインクによる第２色とは用紙９上における互いの光の反射率の差が所定値以上であればよい。ここでいう所定値とは、用紙９上の第１色と第２色との境界を光スキャナ（例えば、レーザ式バーコードリーダーなど）によって判別できる下限値をいう。例えば波長６５０ｎｍの可視光半導体レーザを黒、青、緑、紫色に対して照射したときの反射率は非常に小さく、赤、黄、橙色に対して照射したときの反射率は非常に高く、前者と後者の色の反射率の差が所定値以上となる。したがって、第１色としては、黒色に代えて、青色、緑色、紫色のいずれか、第２色としては、赤色の他に、黄色、橙色のいずれかを採用してもよい。なお、黒色は、マゼンタインク、イエローインク、シアンインクをそれぞれ吐出して形成してもよい。また、青色、緑色、紫色、橙色は、マゼンタインク、イエローインク、シアンインクのうち２以上のインクが吐出されて形成され、黄色はイエローインクが吐出されて形成される。
【００３０】
また、制御部８は、用紙９上において、第２領域４２に対応する部分１４２の赤色の部分におけるインクの単位着弾量が、第１領域４１の対応する部分１４１の黒色の部分におけるインクの単位着弾量以上となるように、記録ヘッド６３のインク吐出を制御する。インクの単位着弾量の調整は、ノズルから吐出されるインク滴の数や大きさなどを調整することにより行われる。このようにインクの単位着弾量を制御することで、用紙９上において、第１領域４１に対応する部分１４１の黒色の部分のインクが第２領域４２に対応する部分１４２に滲み出すのを効果的に抑制することが可能となる。このため、読み取り精度の高いコード画像１４０を印刷することができる。
【００３１】
以上に述べたように、用紙９上において各第２領域４２に対応する部分１４２の全体が赤色（複合色）である。このため、用紙９上において、各第２領域４２に対応する部分１４２のうち少なくとも第１領域４１に対応する部分１４１と接する部分に着弾したインクによって、第１領域４１に対応する部分１４１に着弾したインク（単色）が第２領域４２に対応する部分１４２内に滲み出すのを堰き止めることが可能となる。このため、読み取り精度の高いコード画像１４０を印刷することができる。
【００３２】
コード画像４０は、複数の第１領域４１が一方向（配列方向）に配列され、隣接する２つの第１領域４１で第２領域４２を挟んで構成されている。このため、用紙９上において、隣接する２つの第１領域４１に対応する部分１４１の第２領域４２に対応する部分１４２を挟む側の端部が滲みにくくなり、読み取り精度の高い一次元コード画像１４０を印刷することができる。
【００３３】
コード画像４０の最も外側に配置された第１領域４１の外側には第２領域４２が配置されている。このため、用紙９上において、最も外側に配置された第１領域４１に対応する部分１４１が外側に滲みにくくなり、読み取り精度がより一層高い一次元コード画像１４０を印刷することができる。
【００３４】
本実施形態においては、コード画像１４０の第１領域４１に対応する部分１４１の色が黒であり、第２領域４２に対応する部分１４２の色が赤である。これにより、読み取り精度の高いコード画像１４０を印刷することができる。なお、第１領域４１に対応する部分１４１の色が、青、緑、紫色のいずれかの色であり、第２領域４２に対応する部分１４２の色が、黄、橙色のいずれかの色であっても、上述と同様の効果を得ることができる。
【００３５】
続いて、入力された画像データに基づく制御の変形例について説明する。本変形例においても、対象となる画像データは、上述の複数の第１領域４１と、上述の複数の第２領域４２とからなるコード画像４０を含む画像データとする。なお、上述の実施形態と同様なものについては同符号で示し説明を省略する。
【００３６】
本変形例において、制御部８は、上述の実施形態と同様の記憶処理及び判定処理後に、ＲＡＭ８３に記憶されている画像データに係る画像にコード画像４０が含まれている場合には、図４に示すように、コード画像４０の各第１領域４１に対応する部分１４１の全体が黒色となるように記録ヘッド６３のインク吐出を制御する（制御処理）。また、このとき、制御部８は、第２領域４２に対応する部分１４２の図４中上側半部（配列方向に直交する直交方向に関する第１位置）であって第１領域４１に対応する部分１４１と接する部分２４２ａが赤色となるように、記録ヘッド６３のインク吐出を制御する（制御処理）。つまり、制御部８は、用紙９上において、第１領域４１に対応する部分１４１全体に着弾したインクによって黒色を有し、第２領域４２に対応する部分１４２のうち、上側半部において第１領域４１に対応する部分１４１と接する部分２４２ａに着弾したインクによって赤色を有するように、記録ヘッド６３を制御する。こうして、図４に示すコード画像２４０が用紙９上に形成される。
【００３７】
接する部分２４２ａは、図４に示すように、配列方向において、第２領域４２に対応する部分１４２の幅以下であって部分１４２の幅に対して一定比率の幅を有している。このため、複数の第２領域４２に対応する部分１４２のうち、隣接する２つの第１領域４１に対応する部分１４１間の第２領域４２に対応する部分１４２の配列方向の幅が接する部分２４２ａの幅の２倍を超える第２領域４２に対応する部分１４２は、配列方向の中央にインクの着弾しない非着弾部分２４２ｂが形成される。つまり、制御部８は、コード画像２４０の上側半部（第１位置）では、用紙９上に黒色を有する部分（第１領域４１に対応する部分１４１）と赤色を有する部分（接する部分２４２ａ）とが配列方向に沿って複数形成されるように、記録ヘッド６３を制御する。また、制御部８は、コード画像２４０の下側半部（配列方向に直交する直交方向に関して第１位置と異なる第２位置）では、用紙９上に黒色を有する部分（第１領域４１に対応する部分１４１）とインクが着弾していない非着弾部分２４２ｃとが配列方向に沿って交互に形成され、赤色を有する部分（接する部分２４２ａ）が形成されないように、記録ヘッド６３を制御する。なお、本変形例においても、上述の実施形態と同様に、第１色としては、黒色に代えて、青色、緑色、紫色のいずれか、第２色としては、赤色の他に、黄色、橙色のいずれかを採用してもよく、上述と同じ効果を得ることができる。
【００３８】
以上に述べたように、本変形例においても、用紙９上において、各第２領域４２に対応する部分１４２の上側半部であって第１領域４１に対応する部分１４１と接する部分２４２ａが赤色（複合色）である。このため、用紙９上において、各第２領域４２に対応する部分１４２の上側半部のうち少なくとも第１領域４１に対応する部分１４１と接する部分２４２ａに着弾したインクによって、第１領域４１に対応する部分１４１に着弾したインク（単色）が第２領域４２に対応する部分１４２内に滲み出すのを堰き止めることが可能となる。このため、読み取り精度の高いコード画像２４０を印刷することができる。また、上述の実施形態と同様な構成においては、同じ効果を得ることができる。
【００３９】
また、制御部８は、第２領域４２に対応する部分１４２にインクの着弾しない非着弾部分２４２ｂが形成されるように、記録ヘッド６３を制御する。これにより、インクの消費量を抑制することが可能となる。また、制御部８は、第２領域４２に対応する部分１４２のうち上側半部にインクが着弾して赤色を有する部分が形成されるように、記録ヘッド６３を制御する。これにより、インクの消費量を抑制することが可能となる。
【００４０】
以上、本発明の好適な実施の形態について説明したが、本発明は上述の実施の形態に限られるものではなく、特許請求の範囲に記載した限りにおいて様々な変更が可能なものである。例えば、上述の実施形態及び変形例においては、制御部８が上述の記憶処理、判定処理、制御処理を実行しているが、プリンタ１０に接続されたＰＣ２０のＨＤＤ２４にインストールされたプリンタドライバ２４ｂ（図１参照）により、ＰＣ２０に、上述の記憶処理、判定処理、制御処理を実行させてもよい。これにおいても、上述の実施形態及び変形例と同様の効果を得ることができる。
【００４１】
また、用紙９上において、第１領域４１に対応する部分１４１が有する色（例えば、黒色）と、第２領域４２に対応する部分１４２が有する色（例えば、赤色）とが入れ替わってもよい。要するに、用紙９上において、部分１４１が有する色と部分１４２が有する色とが互いの光の反射率の差が所定値以上であればよい。また、用紙９上において、部分１４１が有する色と部分１４２が有する色との互いの光の反射率の差が所定値以上であれば、どのような色の組み合わせであってもよい。
【００４２】
上述の実施形態及び変形例におけるコード画像４０は、一次元コード画像であるが、配列方向に平行な一方向及び一方向に直交する直交方向において情報を有する二次元コード画像であってもよい。この場合においても、制御部８が、用紙上において、情報の元となる第１領域に対応する部分が着弾したインクによって第１色を有し、第１領域の周囲にある第２領域に対応する部分が着弾したインクによって第２色を有するように、記録ヘッド６３を制御すればよい。これにおいても、上述の実施形態及び変形例と同様の効果を得ることができる。
【００４３】
上述の変形例においては、第２領域４２に対応する部分１４２の上側半部にインクを着弾させていたが、中央部分又は下側半部でもよいし、配列方向と直交する方向において、互いに離隔した２以上の位置にインクを着弾させて色を形成してもよい。また、第２領域４２に対応する部分１４２の色部分におけるインクの単位着弾量は、第１領域４１に対応する部分１４１の色部分におけるインクの単位着弾量未満であってもよい。
【符号の説明】
【００４４】
８  制御部
１０  プリンタ（印刷装置）
４０，１４０，２４０  コード画像
４１  第１領域
４２  第２領域
６３  記録ヘッド（インクジェット記録部）
８３  ＲＡＭ（記憶部）
１４１  第１領域に対応する部分
１４２  第２領域に対応する部分
２４２ａ  第１領域に対応する部分に接する部分
２４２ｂ  非着弾部分
【図１】
2020157708.tif 000003
【図２】
2020157708.tif 000004
【図３】
2020157708.tif 000005
【図４】
2020157708.tif 000006